(57)【要約】【課題】光学部品をレンズに締結する金属製のネジを外部から見えにくくすることによって外観性を高めることができる車両用灯具を提供すること。【解決手段】ハウジング２とその開口部を覆うレンズ３によって画成される灯室４内に光源を収容するとともに、前記レンズ３の周縁部内面に灯室内に向かって一体に突設された複数のネジボス３Ａに螺合するネジ１０によってエクステンション（光学部品）８をレンズ３に締結して成る車両用灯具１において、前記レンズ３の内面に、前記ネジボス３Ａを囲む筒状のローレット付きカバー３Ｂを一体に突設する。【選択図】図３
2012049044.tif 000002
【特許請求の範囲】
【請求項１】
ハウジングとその開口部を覆うレンズによって画成される灯室内に光源を収容するとともに、前記レンズの周縁部内面に灯室内に向かって一体に突設された複数のネジボスに螺合するネジによって光学部品をレンズに締結して成る車両用灯具において、
前記レンズの内面に、前記ネジボスを囲む筒状のローレット付きカバーを一体に突設したことを特徴とする車両用灯具。
【発明の詳細な説明】
【技術分野】
【０００１】
本発明は、ヘッドランプ等の車両用灯具に関するものである。
【背景技術】
【０００２】
ヘッドランプ等の車両用灯具は、図５の部分断面図に示すように、ハウジング１０２とその開口部を覆うレンズ１０３によって画成される灯室１０４内に不図示の光源を収容するとともに、前記レンズ１０３の周縁部内面に灯室１０４内に向かって一体に突設された複数のネジボス１０３Ａ（図５には１つのみ図示）に螺合する金属製のネジ１１０によって光学部品であるエクステンション１０８をレンズ１０３に締結して構成されている。
【０００３】
ところで、特許文献１には、インナレンズを備える車両用灯具において、インナレンズにフランジを一体に形成し、このフランジによってアウタレンズのハウジングへの嵌合固定部を覆い隠し、その嵌合固定部が消灯時にアウタレンズを介して外部から見えないようにすることによって外観性の低下を防ぐ提案がなされている。
【先行技術文献】
【特許文献】
【０００４】
【特許文献１】特開平８−２７９３０３号公報
【発明の概要】
【発明が解決しようとする課題】
【０００５】
図５に示す従来の車両用灯具においては、透明なレンズ１０３に一体に形成されたネジボス１０３Ａに螺着された金属製のネジ１１０が図５に矢印にて示す方向からレンズ１０３とエクステンション１０８との間の隙間δを介して外部から見えるために外観性が損なわれるという問題があった。
【０００６】
本発明は上記問題に鑑みてなされたもので、その目的とする処は、光学部品をレンズに締結する金属製のネジを外部から見えにくくすることによって外観性を高めることができる車両用灯具を提供することにある。
【課題を解決するための手段】
【０００７】
上記目的を達成するため、本発明は、ハウジングとその開口部を覆うレンズによって画成される灯室内に光源を収容するとともに、前記レンズの周縁部内面に灯室内に向かって一体に突設された複数のネジボスに螺合するネジによって光学部品をレンズに締結して成る車両用灯具において、前記レンズの内面に、前記ネジボスを囲む筒状のローレット付きカバーを一体に突設したことを特徴とする。
【発明の効果】
【０００８】
本発明によれば、レンズの内面に一体に突設された筒状のローレット付きカバーによってレンズのネジボスを囲むようにしたため、透明なレンズに突設されたネジボスに向かう光がネジボスを囲むローレット付きカバーによって拡散する。このため、エクステンション等の光学部品をレンズに締結するためにネジボスに螺着されたネジが外部から見えにくくなり、車両用灯具の外観性が高められる。
【図面の簡単な説明】
【０００９】
【図１】本発明に係る車両用灯具の斜視図である。
【図２】図１のＡ−Ａ線断面図である。
【図３】図２のＢ部拡大詳細図である。
【図４】レンズに形成されたローレット付きカバーによってネジボスが囲まれた状態を示すレンズ内面の部分斜視図である。
【図５】従来の車両用灯具の部分断面図である。
【発明を実施するための形態】
【００１０】
以下に本発明の実施の形態を添付図面に基づいて説明する。
【００１１】
図１は本発明に係る車両用灯具の斜視図、図２は図１のＡ−Ａ線断面図、図３は図２のＢ部拡大詳細図、図４はレンズに形成されたローレット付きカバーによってネジボスが囲まれた状態を示すレンズ内面の部分斜視図である。
【００１２】
本実施の形態に係る車両用灯具１は、四輪車両の前端部の左右に設けられるヘッドランプであって、ハウジング２とその開口部を覆うレンズ３によって画成される灯室４（図２参照）内に光源である複数のバルブ５，６（図１参照）と、これらのバルブ５，６から出射される光を反射させて車両前方（図２の下方）の照明に供するリフレクタ７と、ハウジング２とリフレクタ７の間に隙間を覆う光学部品であるエクステンション８等を収容して構成されている。尚、左右の車両用灯具１の基本構成は同じであるため、以下、一方の車両用灯具１についてのみ図示及び説明する。
【００１３】
上記ハウジング２は、不透明な樹脂によって一体成形され、図２に示すように、その開口部の周縁には車両前方に向かって開く断面コの字状の嵌合凹部２ａが一体に形成されている。又、前記レンズ３は透明に樹脂によって一体成形され、その周縁に車両後方に向かって一体に形成されたリブ状の脚部３ａをハウジング２の前記嵌合凹部２ａに車両前方から嵌め込み、その嵌め込み部をホットメルト９によって接着することによって、該レンズ３がハウジング２に取り付けられている。尚、前記リフレクタ７とエクステンション８も樹脂にて一体成形されており、これらの表面にはアルミ蒸着等の反射処理が施されている。
【００１４】
ところで、図２及び図３に示すように、レンズ３の内面外周部の複数箇所には円筒状のネジボス３Ａ（図２及び図３には１つのみ図示）が車両後方に向かって一体に突設されており、エクステンション８は、これの周縁に形成された円孔８ａに挿通する金属製のネジ１０をレンズ３のネジボス３Ａにねじ込むことによってレンズ３に締結されている。
【００１５】
而して、本実施の形態では、図３及び図４に示すように、レンズ３の内面のネジボス３Ａが形成された箇所には角筒状のローレット付きカバー３Ｂが車両後方に向かって一体に突設されており、ネジボス３Ａはローレット付きカバー３Ｂによって外側から全体的に囲まれている。ここで、図４に詳細に示すように、ローレット付きカバー３Ｂの外周面または内周面或いは内外周面には断面半円状又は断面三角形のローレット１１が全周に亘って形成されている。
【００１６】
ところで、従来、斯かる車両用灯具１においては、透明なレンズ３に一体に形成されたネジボス３Ａに螺着された金属製のネジ１０が図２に矢印にて示す方向からレンズ３とエクステンション８との間の隙間δを介して外部から見えるために外観性が損なわれるという問題があったことは前述の通りである。
【００１７】
然るに、本実施の形態では、レンズ３の内面に一体に突設された筒状のローレット付きカバー３Ｂによってレンズ３のネジボス３Ａを囲むようにしたため、透明なレンズ３に突設されたネジボス３Ａに向かう光がネジボス３Ａを囲むローレット付きカバー３Ｂに形成されたローレット１１によって拡散する。このため、エクステンション８をレンズ３に締結するためにネジボス３Ａに螺着された金属製のネジ１０が外部から見えにくくなり、これによって車両用灯具１の外観性が高められる。
【００１８】
尚、以上は本発明をヘッドランプに対して適用した形態について説明したが、本発明はヘッドランプ以外の任意の車両用灯具に対しても同様に適用可能であることは勿論である。
【符号の説明】
【００１９】
１      車両用灯具
２      ハウジング
２ａ    ハウジングの嵌合凹部
３      レンズ
３Ａ    レンズのネジボス部
３Ｂ    レンズのローレット付きカバー
３ａ    レンズの脚部
４      灯室
５，６  バルブ（光源）
７      リフレクタ
８      エクステンション（光学部品）
８ａ    エクステンションの円孔
９      ホットメルト
１０    ネジ
１１    ローレット
δ      レンズとエクステンションの間の隙間
【図１】
2012049044.tif 000003
【図２】
2012049044.tif 000004
【図３】
2012049044.tif 000005
【図４】
2012049044.tif 000006
【図５】
2012049044.tif 000007